(57)【要約】【課題】冷凍ユニット台の断熱効果を維持させる。【解決手段】冷却貯蔵庫天井部に設けられた開口部に、これを覆うように設けられた冷凍ユニット台において、ユニット台は板金を加工した外装板と合成樹脂により一体成形された内装板とにより外郭が形成され、外装板は底面が開口している扁平な箱形状で、内装板は上面が開口している浅皿状に成形されており、内装板は開口している上面を外装板の天面に合わせ、外装板の内側に側板を密着させることで緊密に嵌合する。さらに外装板と内装板の側板にはそれぞれネジ穴とネジ逃し部が対向して設けられ、両板の引っ掛かりが強くなる。【選択図】図６
2010101523.tif 000002
【特許請求の範囲】
【請求項１】
断熱箱体からなる冷却貯蔵庫の天井部に画成された開口部を覆うように断熱材が充填された冷凍ユニット台を前記天井部に積載する冷凍ユニットであって、前記冷凍ユニット台は底面が開口している箱形状の外装板と、上面が開口している浅皿状に成形されている内装板とにより外郭が形成され、内装板は開口している上面を外装板の天面に合わせ、外装板の内側に側板を密着させることで緊密に嵌合するユニット台の構造において、外装板の側板にネジ穴を設け、ネジ穴と対向する内装板の側板にはネジ逃し部となる凹部形状を形成し、前記凹部に組み込まれたネジが入り込むことを特徴とする冷却貯蔵庫の冷凍ユニット台。
【請求項２】
前記ユニット台は前記側板に運搬用の取手を配置し、該取手の取り付け用のネジが前記内装板のネジ逃し部と対向する位置に取り付けられることを特徴とする請求項１の冷却貯蔵庫の冷凍ユニット台
【発明の詳細な説明】
【技術分野】
【０００１】
本発明は、作業効率を改善した冷却貯蔵庫の冷凍ユニット台に関する。
【背景技術】
【０００２】
従来業務用の冷却貯蔵庫において、断熱箱体からなる貯蔵庫と貯蔵庫天井の断熱壁に開口部を設け、そこへ冷凍ユニットを配置したものが知られている。この冷凍ユニットは、ユニット台の上面に圧縮機、凝縮装置などを積載し、下面に熱交換装置を配置したもので、これらは冷凍配管により接続され冷凍装置として機能するものである。ユニット台の具体的な構造としては、板金等の加工により製作される外装板と、合成樹脂などにより成型され製作される内装板があり、これらを組み立てたとき内部に断熱材が注入される内部空間が設けられる。断熱材がこの内部空間に注入されると外装板と内装板は一体化し強度が上がるため、ユニット台は上記開口部からの熱侵入を防ぐ断熱壁となるとともに、冷凍装置の固定台としての目的も果たす。
【０００３】
この冷凍ユニット台の従来技術としては、例えば特許文献１に記載されたものが提案されている。これは板金を加工した外装板と合成樹脂により一体成形された内装板とにより外郭が形成される冷凍ユニット台で、外装板は底面が開口している扁平な箱形状で、内装板は上面が開口している浅皿状に成形されており、内装板は開口している上面を外装板の天面に合わせ、外装板の内側に側板を密着させることで緊密に嵌合する。外装板と内装板の間に形成された空間に断熱材が充填されると、両板はある一定の強度を保ちながら密着する。ユニット台の上面には冷凍ユニットが搭載され、底面には冷凍ユニットと配管が接続された冷却器が取り付けられる。冷却器は上面板に設けられた取付け穴を内装板に設けられた樹脂ナットの位置に合わせ取付けネジを締めることでユニット台に固定される。
【特許文献１】特開２００５−３０６２７公報
【発明の開示】
【発明が解決しようとする課題】
【０００４】
しかるに上記ユニット台の構造では経年変化により断熱材と外装板、あるいは断熱材と内装板の密着強度が低下した場合、熱交換器の重量に耐えられなくなり断熱材が剥がれてしまうおそれがあった。断熱材が剥がれて隙間ができてしまった空間には空気が侵入し、水分が結露し断熱材にしみこむなどして断熱性能が低下しまうおそれがあった。
【０００５】
本発明は上記のような事情に基づいて完成されたもので、その目的は作業性に優れ、断熱効果を優れた状態のまま維持できるユニット台の構造を提供するものである。
【課題を解決するための手段】
【０００６】
本発明は板金を加工した外装板と合成樹脂により一体成形された内装板とにより外郭が形成される冷凍ユニット台で、外装板は底面が開口している扁平な箱形状で、内装板は上面が開口している浅皿状に成形されており、内装板は開口している上面を外装板の天面に合わせ、外装板の内側に側板を密着させることで緊密に嵌合するユニット台の構造において、外装板の側板にネジで固定される取手の取付け部を設け、この取付け部と対向する内装板の側板にはネジ逃し部となる凹部形状が形成されたことに特徴を有する。
【発明の効果】
【０００７】
本発明によればユニット台は、発泡充填工程を終えた後に外装板の対向する２側面に取手がネジで固定され、ネジは外装板の側面の内側をある寸法突出した状態になり、ユニット台の内装板は経年変化により断熱材と外装板、あるいは断熱材と内装板の密着強度が低下した場合でも内装板と外装板が分離しないものである。
【発明を実施するための最良の形態】
【０００８】
＜実施形態＞
本発明の一実施形態を図にもとづいて説明する。本実施形態では業務用の縦型冷蔵庫を例示している。図１は本実施形態では業務用の縦型冷蔵庫の正面図で、図２は左側面からみた冷凍ユニットの断面図で、図３は本実施形態によるユニット台の分解斜視図で、図６は本実施形態によるユニット台の部分断面図である。
【０００９】
図１及び図２において、冷蔵庫は正面側に開口部が形成された冷蔵庫本体１０の内部に冷蔵室１１が配され、正面開口部には断熱扉１２が配される。冷凍庫本体１０の天井壁１０Ａの中央には別の開口部１５が形成され、天井壁１０Ａの上面には開口部１５を囲むようにパッキン１６が備えられる。冷凍ユニット２０は開口部１５に積載され、パッキン１６と密着した状態で天井壁１０Ａに固定される。冷凍ユニット２０は冷凍装置がユニット台２１に組み込まれたもので、ユニット台２１の上面に圧縮機３１、凝縮装置３２等が積載され、ユニット台２１の下面には蒸発器３３が備え付けられている。蒸発器３３の下方には庫内ファン３４を備えた冷却ダクト３５により蒸発器室３６が構成され、冷蔵室１１の冷気が矢印の方向に循環が行われ蒸発器３３と熱交換が行われる。このとき庫内ファン３４により、蒸発器室３６では冷気の循環が行なわれる。
【００１０】
図３及び図４においてユニット台２１は板金等により加工された外装板５０と樹脂成型により製作される内装板４０と断熱材発泡材７０により構成されるものである。外装板５０は左右側面にフランジ状の取付け板５３を備え、底面が開口している扁平な箱状のもので、背面に断熱材の注入穴５２を備えている。内装板４０は上面が開口している浅皿状に整形されたもので、背面には外装板５０と同じく背面側に注入穴４２が設けられ、内装板４０は外装板５０の底面の開口部より外装板５０の内側に組みつけられ、このとき内装板４０の注入穴４２と外装板５０の注入穴５２はほぼ同心円となる配置をとる。
【００１１】
内装板４０の側板４１と外装板５０の側板５１にはそれぞれツメ部４５と穴部５５が設けられ、２つの板が組みつけられたときこれらは嵌合する位置にあるため、ねじなどの締結部材を必要とせずに内装板４０と外装板５０は固定が可能となる。外装板５０の側板５１の長手方向の中央よりには２つのネジ穴５４が設けられ、冷凍ユニット２０を持ち運ぶための取手６０が取り付けられる。ネジ穴５４は外装板５０の側板５１の内側にネジの打ち出し部が突出するようになっている。内装板４０の側板４１には外装板５０の側板５１に設けられたネジ穴５４と対向する位置に２つの凹部形状のネジ逃し部４４が設けられている。ネジ逃し部４４は内装板４０を成型するための金型構成が複雑にならないよう底部が開口された形状となっている。ネジ逃し部４４の上端は、内装板４０と外装板５０を組みつけたとき外装板５０の側板５１に設けられたネジ穴５４の打ち出し部が引っ掛かりとなるよう丸みをとっている。
【００１２】
内装板４０を外装板５０に組み付け発砲材注入工程用治具で固定し、両板が形成する空間に注入口５２（４２）より断熱発泡材７０が注入される。断熱発泡材注入後に内装板４０は内部の圧力上昇により外へ膨らみ外装板５０と密着し、両板の側板のツメ部４５と穴部５５、またはネジ穴５４の打ち出し部とネジ逃し部４４の引っ掛かりがより強くなる。さらに発泡材注入工程後、外装板５０の側板５１に取手６０がネジ６１により取り付けられ、ネジ６１のネジ部が外装板５０の内側に突出し、内装板４０のネジ逃し部４４に入り込むことで、内装板４０と外装板５０との間に新たな引っ掛かり部ができる。
【００１３】
図７において内装板４０の底面には４箇所樹脂ナット４５が内装板と一体成形により設けられ、蒸発器３３を取付けられるようになっている。よって、ユニット台底面には内装板４０を介して常に荷重がかかる状態にあり、それまで密着していた外装板５０と断熱発泡材７０、あるいは内装板４０と断熱発泡材７０は経年変化により密着強度が低下し剥がれることがあったとしても、内装板４０と外装板５０は側板に設けた引っ掛かりにより両板が大きく分離することはない。
【００１４】
経年変化により断熱材との密着強度が低下し、内外装と剥がれるようなことがあっても、ユニット台２１の中で大きな隙間ができないので、隙間に入り込んだ空気の水分が凝縮し、断熱発泡材にしみこむなどしてユニット台２１の断熱特性が著しく低下することはない。また、内装板４０は取手の取付けネジに引っ掛かるため、外装板５０から抜け落ちるようなことはなく、冷凍ユニット２０を交換する作業において支障となることはない。
【００１５】
＜他の実施形態＞
実施例で示した内装板のネジ逃し部とツメ部の２つの引っ掛かりは、同じ側板に配置されるものに限定されることなく、交差する側板にそれぞれ設けたものでも実施することができる。
【図面の簡単な説明】
【００１６】
【図１】本発明の実施形態に係る冷却貯蔵庫の正面図
【図２】本発明の冷凍ユニットとその付近の断面図
【図３】本発明のユニット台の分解斜視図
【図４】本発明のユニット台の側面図
【図５】図４のＡ−Ａ部分断面図
【図６】図４のＢ−Ｂ部分断面図
【図７】本発明の熱交換器付近とユニット台の部分断面図
【符号の説明】
【００１７】
１０…冷凍庫本体  １１…冷蔵室  １２…断熱扉  １４…機械室  １５…開口部  ２０…冷凍ユニット  ２１…ユニット台  ３３…蒸発器  ３４…庫内ファン  ４０…内装板  ４１…内装板側板  ４２…注入穴  ４３…エア抜き穴  ４４…ネジ逃し部  ４５…突起部  ５０…外装板  ５１…外装板側板  ５２…注入穴  ６０…取手  ６１…取付けネジ  ７０…断熱材
【図１】
2010101523.tif 000003
【図２】
2010101523.tif 000004
【図３】
2010101523.tif 000005
【図４】
2010101523.tif 000006
【図５】
2010101523.tif 000007
【図６】
2010101523.tif 000008
【図７】
2010101523.tif 000009